(57)【要約】【課題】布団の収納量が増加し、設備コストが安価になるとともに、加熱（乾燥）能力が向上する押入れ布団乾燥装置を提供する。【解決手段】押入れ１の底板２または中仕切り棚３は、四角状枠体６と、四角状枠体６の上開口を閉塞する上板７と、四角状枠体６の下開口を閉塞する下板８とで構成して、内部に密閉空間９を形成する一方、上板７の下面に面状発熱体１２を貼着して、この面状発熱体１２と上板７とに、貫通孔１２ａ，７ａを一連に形成するとともに、外部の空気を密閉空間９に供給するファン１４を設けて、面状発熱体１２で加熱された上板７で布団４を直接加熱するとともに、面状発熱体１２で加熱された密閉空間９内の空気を、ファン１４によって貫通孔１２ａ，７ａから温風として上方に吹き出すことで、温風で布団４を直接加熱することができる。【選択図】図１
2007159979.tif 000002
【特許請求の範囲】
【請求項１】
押入れの底板または中仕切り棚は、四角状枠体と、四角状枠体の上開口を閉塞する上板と、四角状枠体の下開口を閉塞する下板とで構成して、内部に密閉空間を形成する一方、上板の下面に面状発熱体を貼着して、この面状発熱体と上板とに、多数個の貫通孔を一連に形成するとともに、外部の空気を密閉空間に供給するファンを設けたことを特徴とする押入れ布団乾燥装置。
【請求項２】
前記上板の上面に、通気性の不織布を貼着していることを特徴とする請求項１に記載の押入れ布団乾燥装置。
【請求項３】
前記ファンは、前記下板に取付けていることを特徴とする請求項１または２に記載の押入れ布団乾燥装置。
【請求項４】
前記四角状枠体の内部に、密閉空間を仕切る補強用桟部材を設けて、この補強用桟部材に、仕切られた密閉空間を連通させる連通開口を形成したことを特徴とする請求項１〜３のいずれか一項に記載の押入れ布団乾燥装置。
【発明の詳細な説明】
【技術分野】
【０００１】
本発明は、押入れ布団乾燥装置に関する。
【背景技術】
【０００２】
従来、押入れに用いる乾燥装置としては、収納庫（押入れ）の中程に設ける棚体（中仕切り棚）の上面に、温風吹き出し口と空気吸い込み口とを形成して、棚体の内部に、加熱機（温水式ヒータ、セラミックヒータ等）、送風機、除湿機を設けて、加熱機側に温風吹き出し口を接続するとともに、除湿機側に吸い込み口を接続して、加熱機からの温風を棚体の温風吹き出し口から吹き出すことで、棚体の上に置いた布団等を乾燥させるようにしたものがある（特許文献１参照）。
【特許文献１】特開平６−２４６０９６号公報
【発明の開示】
【発明が解決しようとする課題】
【０００３】
しかしながら、背景技術では、加熱機として、温水式ヒータやセラミックヒータを用いているものであるから、棚体内部に大型の加熱機等を収納しなければならないために、棚体の厚みが厚くなって、布団の収納量が減少するとともに、設備コストも非常に高くなるという問題があった。
【０００４】
また、加熱機からの温風を棚体の温風吹き出し口から吹き出すだけであるから、加熱（乾燥）能力が低いという問題があった。
【０００５】
本発明は、前記問題を解消するためになされたもので、布団の収納量が増加し、設備コストが安価になるとともに、加熱（乾燥）能力が向上する押入れ布団乾燥装置を提供することを目的とするものである。
【課題を解決するための手段】
【０００６】
前記課題を解決するために、本発明は、押入れの底板または中仕切り棚は、四角状枠体と、四角状枠体の上開口を閉塞する上板と、四角状枠体の下開口を閉塞する下板とで構成して、内部に密閉空間を形成する一方、上板の下面に面状発熱体を貼着して、この面状発熱体と上板とに、多数個の貫通孔を一連に形成するとともに、外部の空気を密閉空間に供給するファンを設けたことを特徴とする押入れ布団乾燥装置を提供するものである。
【０００７】
貫通孔から中仕切り棚等の密閉空間内にホコリなどが入り込むのを未然に防止するために、前記上板の上面に、通気性の不織布を貼着している構成とすることが好ましい。
【０００８】
熱ロスを少なくするために、前記ファンは、前記下板に取付けている構成とすることが好ましい。
【０００９】
補強用桟部材で仕切られた密閉空間にファンの送風を均一に供給できるようにするために、前記四角状枠体の内部に、密閉空間を仕切る補強用桟部材を設けて、この補強用桟部材に、仕切られた密閉空間を連通させる連通開口を形成した構成とすることが好ましい。
【発明の効果】
【００１０】
本発明によれば、中仕切り棚等の上板の下面に面状発熱体を貼着することで、面状発熱体で加熱された上板で布団を直接加熱するとともに、面状発熱体で加熱された密閉空間内の空気を、ファンによって面状発熱体と上板とに一連に形成した多数個の貫通孔から温風として上方に吹き出すことで、温風で布団を直接加熱することができるので、加熱（乾燥）能力が向上して、短時間で布団を乾燥できるようになる。
【００１１】
また、薄い（例えば１ｍｍ厚み）面状発熱体を上板の下面に貼着するだけであるから、中仕切り棚等の厚みを薄くできるので、布団の収納量が増加するとともに、設備コストも安価になる。
【発明を実施するための最良の形態】
【００１２】
以下、本発明を実施するための最良の形態について、図面を参照しながら詳細に説明する。
【００１３】
図３に示すように、縦長長方形状の押入れ１には、底板２と中仕切り棚３とが設けられて、底板２と中仕切り棚３との上には、折り畳んだ布団４がそれぞれ置かれるようになっている。なお、布団４は、底板２と中仕切り棚３とのいずか一方の上に置かれるものであっても良く、本例では、中仕切り棚３の上の置かれるものとして説明する。
【００１４】
図１および図２に示すように、中仕切り棚３は、木質の四角状枠体６と、四角状枠体６の上開口を閉塞する木質の上板７と、四角状枠体６の下開口を閉塞する木質の下板８とで構成して、四角状枠体６に上板７と下板８とを釘や接着剤等を用いて接合することにより、内部に密閉空間（エアーチャンバー）９を形成するようになる。上板７と下板８とは、例えばそれぞれ１２ｍｍ厚みである。
【００１５】
四角状枠体６の内部には、密閉空間９を左右方向のほぼ中間位置で仕切る補強用桟部材１０を設けて、この補強用桟部材１０に、仕切られた密閉空間９を連通させる連通開口１０ａを形成している。
【００１６】
上板７の下面には面状発熱体１２を接着剤で貼着して、この面状発熱体１２と上板７とに、多数個の貫通孔１２ａ，７ａを一連に形成する。各貫通孔１２ａ，７ａは、例えば穴径が５ｍｍφで、縦横に５０ｍｍピッチで形成している。
【００１７】
上板７の上面には、通気性の不織布１３を貼着している。下板８には、外部の空気を密閉空間９に供給するファン１４を取付けている。なお、ファン１４は、必ずしも下板８に取付ける必要は無く、押入れ１の近傍に設置して、ダクトを介して外部の空気を密閉空間９に供給するようにしても良い。
【００１８】
面状発熱体１２とファン１４とは、いずれも電気の供給で作動するから、それぞれの電線１５を束ねた状態で、一括して中仕切り棚３から外部に導出することができる。
【００１９】
前記のように押入れ布団乾燥装置を構成すれば、中仕切り棚３の上板７の下面に面状発熱体１２を貼着することで、面状発熱体１２で加熱された上板で布団４を直接加熱するとともに、面状発熱体１２で加熱された密閉空間９内の空気を、ファン１４によって面状発熱体１２と上板７とに一連に形成した多数個の貫通孔１２ａ，７ａから温風として上方に吹き出すことで（図１の矢印ａ参照）、温風で布団４を直接加熱することができるので、加熱（乾燥）能力が向上して、短時間で布団を乾燥できるようになる。
【００２０】
また、薄い（例えば１ｍｍ厚み）面状発熱体１２を上板７の下面に貼着するだけであるから、中仕切り棚３の厚みを薄くできるので、布団４の収納量が増加するとともに、設備コストも安価になる。
【００２１】
さらに、上板７の上面に通気性の不織布１３を貼着してあれば、ファン１４の不使用時に、貫通孔７ａ，１２ａから中仕切り棚３の密閉空間９内にホコリなどが入り込むのを未然に防止できるようになる。
【００２２】
また、ファン１４を下板８に取付ければ、下から上に向かう送風によって、上板７の面状発熱体１２で加熱された空気が下板８側に降りて下板を加熱しにくくなるので、熱ロスが少なくなる。
【００２３】
さらに、四角状枠体６の内部の補強用桟部材１０で中仕切り棚３のたわみが抑制されるとともに、連通開口１０ａによって補強用桟部材１０で仕切られた密閉空間９にファン１４の送風を均一に供給できるようになる。
【００２４】
前記実施形態は、中仕切り棚３に面状発熱体１２やファン１４等を設けたものであったが、底板２に面状発熱体１２やファン１４等を設けたものであっても良い。
【図面の簡単な説明】
【００２５】
【図１】本発明の実施形態に係る押入れ布団乾燥装置の正面断面図である。
【図２】図１の押入れ布団乾燥装置の分解斜視図である。
【図３】押入れの正面図である。
【符号の説明】
【００２６】
１      押入れ
２      底板
３      中仕切り棚
４      布団
６      四角状枠体
７      上板
７ａ    貫通孔
８      下板
９      密閉空間
１０    補強用桟部材
１２    面状発熱体
１２ａ  貫通孔
１３    不織布
１４    ファン
【図１】
2007159979.tif 000003
【図２】
2007159979.tif 000004
【図３】
2007159979.tif 000005